(57)【要約】【課題】道具を操作する時発生する手塞がり手暗がり状態の解決。【解決手段】器具の握り部に補助握りを被せ、補助握りの内部に電池及び発光体を収納し器具の使用する方向に発光体からの光を向けて固定し照明保持と器具操作を片手でなし得る方式。【選択図】        図１
2004186058.tif 000002
【特許請求の範囲】
【請求項１】
小型発光体、電源及び電流断続器を用い、発光体の光軸を器具が照明を要する方向に合わせ、器具に固定して用いる小型照明装置。
【請求項２】
請求項１の小型照明装置を鍵・手工具等の握り部を覆う補助握りを設け補助握り内部に収容した小型照明装置。
【請求項３】
請求項１の小型照明装置の発光体を分離し、クリップと組み合わせた小型照明装置。
【請求項４】
請求項１の小型照明装置をペン等の補助握り軸に組み込んだ小型照明装置。
【請求項５】
請求項２の握り部と使用端の距離の長い器具等と組み合わせる場合に、ライトガイドを用い、照明を使用端近くで行う小型照明装置。
【請求項６】
請求項１の小型照明装置をＣＣＤカメラを持つ携帯電話の撮像照明として用いる小型照明装置。
【発明の詳細な説明】
【０００１】
【発明の属する技術分野】
照明器具に属する。
【０００２】
【従来の技術】
小型発光体を用いた照明器具は存在したが照明器具が独立した存在として操作及び保持にを必要とする形態で照明器具を保持しながら他の器具を扱う事は片手で出来る状態で無かった。
【０００３】
【発明が解決しようとする課題】
本発明は手暗がりの解消と片手で照明と器具の操作を同時に行える事を目的として居る、夜更けの帰宅に於ける解錠に於ける鍵孔探しの苛立ち、深い孔の底のネジ孔が見え無い等、もどかしさが身近に在り乍らも放置されてる課題は多く見受けられる。
【０００４】
【課題を解決するための手段】
鍵孔探しは従来の照明でも可能であるが、片手では両者を同時に操作出来ず両手を要する事が問題となる。鍵孔位置を確認してから鍵を持ち直して挿入すると言う二重の手間が掛かり陽気の良い時は我慢できるが雨と寒さが重なる場合は最悪で傘を持ち乍らの照明には無理が在り、更に荷物を置く事も出来ない事態も考える。
鍵の握り部に発光体が有りしかも光線が鍵本体に沿って照射されれば確認して挿入する事が一瞬にして完了する。
【０００５】
小型で在る利点を生かし器具と組み合わせ、発光体からの光束を器具等が照明を必要とする部分に固定する事で器具の向かう方向が照明され器具の保持が同時に照明装置の保持と成る形式とした。
【０００６】
【発明の実施の形態】
図１は本発明を鍵に適用した例を示す。電源１−３及び発光体１−２と鍵１−１の握り部を同時に収容出来る匡体１−４に鍵の方向と発光体の光軸を略平行に近く固定する。スイッチは匡体を握る事で投入される様にセットする事は可能で在り、解錠・施錠に鍵孔を照明し乍らの片手操作が可能と成った。
【０００７】
図２は電源とスイッチを納めた匡体２−３から発光体２−２を分離して、クリップと組み合わせた例を示す。黄昏時に僅かな補助光が欲しい時に眼鏡の蔓２−１にクリップ止めし目の脇から視界を照明する事で認識できる明るさを与え発光体迄の導線は眼鏡の落下防止紐と併せる事で抵抗無く使用出来る。
【０００８】
図３はドライバ−の握り部に被せる補助握りとした例を示し常にドライバ−の先端を照明出来、対象ネジ孔が深い孔の底でも視認が容易と成る。
ドライバ−の種類に依っては握りと先端の距離が大成る種類が有って握り部で発光しても対象物に対しての照明が不足と成る事も考えられ、発光体からの光束をライトガイドを用いて対象物近くで光束を放射する事で目的は達せられる。
【０００９】
図４は筆記具の軸に被せる補助握りに小型照明装置を収容した例を示す。
図５はＣＣＤカメラを持つ携帯電話機に組み込んだ例を示す。ＣＣＤカメラの視野は機体の向きに一定していて小型照明装置の光軸も視野に固定される。
【００１０】
【実施例】
出来る限り小型にする為、発光体にＬＥＤを用い、電源は釦電池として、通常の自動車のオ−トロックキ−と大差がないライト付きキ−が出来た。スイッチ機能は押す事で電池とＬＥＤの足が接触する方式を取ったが眼鏡式では点灯回路を固定出来るスイッチを要する。
【００１１】
【発明の効果】
片手で照明と解錠の操作が出来る事、常に鍵の先が照明されて挿入から解錠に必要な時間が極めて短く済む事から実用性は十分と判断出来る。
眼鏡に取り付けた発光体での効果は短時間の補助照明としては十分な明るさを得た。
【図面の簡単な説明】
【図１】鍵と組み合わせた例を示す。
【図２】眼鏡に取り付けた例を示す。
【図３】鉛筆の補助握りに組み込んだ例を示す。
【図４】長いドライバ−とライトガイドを用いた例を示す。
【図５】ＣＣＤカメラ付き携帯電話に組み込んだ例を示す。
【図１】
2004186058.tif 000003
【図２】
2004186058.tif 000004
【図３】
2004186058.tif 000005
【図４】
2004186058.tif 000006
【図５】
2004186058.tif 000007
【手続補正書】
【提出日】平成14年12月25日(2002.12.25)
【手続補正１】
【補正対象書類名】明細書
【補正対象項目名】全文
【補正方法】変更
【補正の内容】
【特許請求の範囲】
【請求項１】小型発光体、電源及び電流断続器を用い、発光体の光軸を器具が照明を要する方向に合わせ、器具に固定して用いる小型照明装置。
【請求項２】請求項１の小型照明装置を鍵・手工具等の握り部を覆う補助握りを設け補助握り内部に収容した小型照明装置。
【請求項３】請求項１の小型照明装置の発光体を分離し、眼鏡枠に取付け電源コ−ドが落下防止紐を兼ねる小型照明装置。
【請求項４】請求項１の小型照明装置と鏡を組み合わせ化粧品容器に取付けた小型照明装置。
【請求項５】請求項２の握り部と使用端の距離の長い器具等と組み合わせる場合に、ライトガイドを用い、照明を使用端近くで行う小型照明装置。
【請求項６】請求項１の小型照明装置をステッキ等、歩行を補助する器具の石突き近くに設けた透明な部分に組み込んだ小型照明装置。
【請求項７】請求項１の小型照明装置をスリッパ・爪カバ−等に組込んで足元を照射する小型照明装置。
【請求項８】請求項１の小型照明装置を偏平な匡体に組上げ、匡体の一面にロックピンを設け又はマジックテ−プを使い衣服、装具の任意箇所に取付可能とした小型照明装置。
【請求項９】請求項１の小型照明装置と鏡を組み合わせ化粧品容器に差し替え可能な小型照明装置
【発明の詳細な説明】
【０００１】
【発明の属する技術分野】
照明器具に属する。
【０００２】
【従来の技術】
小型発光体を用いた照明器具は存在したが照明器具が独立した存在として操作及び保持を必要とする形態で照明器具を保持しながら他の器具を扱う事は片手で出来る状態で無かった。
【０００３】
【発明が解決しようとする課題】
本発明は手暗がりの解消と片手で照明と器具の操作を同時に行える事を目的として居る、夜更けの帰宅に於ける解錠に於ける鍵孔探しの苛立ち、深い孔の底のネジ孔が見え無い等、もどかしさが身近に在り乍らも放置されてる課題は多く見受けられる。
【０００４】
【課題を解決するための手段】
鍵孔探しは従来の照明でも可能であるが、片手では両者を同時に操作出来ず両手を要する事が問題となる。鍵孔位置を確認してから鍵を持ち直して挿入すると言う二重の手間が掛かり陽気の良い時は我慢できるが雨と寒さが重なる場合は最悪で傘を持ち乍らの照明には無理が在り、更に荷物を置く事も出来ない事態も考える。
鍵の握り部に発光体が有りしかも光線が鍵本体に沿って照射されれば確認して挿入する事が一瞬にして完了する。
【０００５】
小型で在る利点を生かし器具と組み合わせ、発光体からの光束を器具等が照明を必要とする部分に固定する事で器具の向かう方向が照明され器具の保持が同時に照明装置の保持と成る形式とした。
【０００６】
【発明の実施の形態】
図１は本発明を鍵に適用した例を示す。電源１−３及び発光体１−２と鍵１−１の握り部を同時に収容出来る匡体１−４に鍵の方向と発光体の光軸を略平行に近く固定する。スイッチは匡体を握る事で投入される様にセットする事は可能で在り、解錠・施錠に鍵孔を照明し乍らの片手操作が可能と成った。
【０００７】
図２は電源とスイッチを納めた匡体２−３から発光体２−２を分離し固定用品のクリップと組み合わせ眼鏡の蔓２−１に取り付けた例を示す。
黄昏時の僅かな補助光が欲しい時に眼鏡の脇から視界を照明する事で認識できる明るさを与え発光体迄の導線は眼鏡の落下防止紐と兼ねる事で抵抗意識無く使用出来る。
【０００８】
図３はドライバ−の握り部に被せる補助握りとした例を示し常にドライバ−の先端を照明出来、対象ネジ孔が深い孔の底でも視認が容易と成る。ドライバ−の種類に依っては握りと先端の距離が大成る種類が有って握り部で発光しても対象物に対しての照明が不足と成る事も考えられ、発光体からの光束をライトガイドを用いて対象物近くで光束を放射する事で目的は達せられる。
【０００９】
図４は口紅キャップに小型照明装置と鏡を組み込んだ例を示す。鏡と共に組み込む事で十分な効果を持った。
【００１０】
図５は歩行を補助する杖に組み込んだ例を示す。一部を透明として此処に発光体を置き足元を照射する。同様にスリッパ、爪カバ−等に組込んで足元を照射し歩行を助ける。
【００１１】
図６は鏡付きコンパクトに小型照明装置を組み付けた例を示す。装置はコンパクトの外周を基準として取付け鏡上部に装置一式を収納する部分を持たせ取付対象は随意に変えられる方式とした。
【００１２】
図７はバッジタイプの偏平な匡体に装置を組み込んだ例でピンバッジ式止めでも片面に衣類用両面テ−プを用いても良い。衣服の任意な箇所に随時取付が可能で在り夜間の自転車走行等では側面からも容易に視認でき事故防止の一助と成る。
【００１３】
図８はスリッパ−に組み付けた例を示す。穿く事に依る圧力を使い電流回路を接続し点灯する接断器を用いればスイッチ操作に身を屈める必要も無く足元の障害物も明きらかと成る。
【００１４】
【実施例】
出来る限り小型にする為、発光体にＬＥＤを用い、電源は釦電池として、通常の自動車のオ−トロックキ−と大差がないライト付きキ−が出来た。スイッチ機能は押す事で電池とＬＥＤの足が接触する方式を取ったが眼鏡式では点灯回路を固定出来るスイッチを要する。
【００１５】
【発明の効果】
片手で照明と解錠の操作が出来る事、常に鍵の先が照明されて挿入から解錠に必要な時間が極めて短く済む事から実用性は十分と判断出来る。
眼鏡に取り付けた発光体での効果は短時間の補助照明としては十分な明るさを得た。
【図面の簡単な説明】
【図１】鍵と組み合わせた例を示す。
【図２】眼鏡に取り付けた例を示す。
【図３】小型照明装置と鏡を組み込んだ化粧品容器の例を示す。本例では口紅キャップを挙げる。
【図４】長いドライバ−とライトガイドを用いた例を示す。
【図５】歩行を補助する杖等に組み込んだ例を示す。
【図６】鏡付きコンパクトに小型照明装置を組み付けた例を示す。
【図７】ピンバッジタイプの偏平な匡体に装置を納めた例を示す。
【図８】スリッパ−に組み込んだ例を示す。


【手続補正２】
【補正対象書類名】図面
【補正対象項目名】図３
【補正方法】変更
【補正の内容】
【図３】
2004186058.tif 000008
【手続補正３】
【補正対象書類名】図面
【補正対象項目名】図５
【補正方法】変更
【補正の内容】
【図５】
2004186058.tif 000009
【手続補正４】
【補正対象書類名】図面
【補正対象項目名】図６
【補正方法】追加
【補正の内容】
【図６】
2004186058.tif 000010
【手続補正５】
【補正対象書類名】図面
【補正対象項目名】図７
【補正方法】追加
【補正の内容】
【図７】
2004186058.tif 000011
【手続補正６】
【補正対象書類名】図面
【補正対象項目名】図８
【補正方法】追加
【補正の内容】
【図８】
2004186058.tif 000012
【手続補正書】
【提出日】平成15年3月13日(2003.3.13)
【手続補正１】
【補正対象書類名】明細書
【補正対象項目名】全文
【補正方法】変更
【補正の内容】
【特許請求の範囲】
【請求項１】小型発光体、電源及び電流断続器を用い、発光体の光軸を器具が照明を要する方向に合わせ、器具に固定して用いる小型照明装置。
【請求項２】請求項１の小型照明装置を鍵・手工具等の握り部を覆う補助握りを設け補助握り内部に収容した小型照明装置。
【請求項３】請求項１の小型照明装置の発光体を分離し、眼鏡枠に取付け電源コ−ドが落下防止紐を兼ねる小型照明装置。
【請求項４】請求項１の小型照明装置と鏡を組み合わせ化粧品容器に取付けた小型照明装置。
【請求項５】請求項２の握り部と使用端の距離の長い器具等と組み合わせる場合にライトガイドを用い、照明を使用端近くで行う小型照明装置。
【請求項６】請求項１の小型照明装置をステッキ等、歩行を補助する器具の一部に設けた透明な部分に組み込んだ小型照明装置。
【請求項７】請求項１の小型照明装置をスリッパ・爪カバ−等に組込んで足元を照射する小型照明装置。
【請求項８】請求項１の小型照明装置を偏平な匡体に組上げ、匡体の一面にロックピンを設け又はマジックテ−プを使い衣服、装具の任意箇所に取付可能とした小型照明装置。
【請求項９】請求項１の小型照明装置と鏡を組み合わせ、内容を差し替え可能な化粧品容器とする小型照明装置
【請求項１０】請求項１の小型照明装置を交換可能な傘の握り部、又は傘の握り或いは軸を利用して取付けを可能とした匡体に組み込んだ小型照明装置。
【請求項１１】請求項１の小型照明装置を捲尺に組み込んで捲尺の繰り出し口を照明し、繰り出された尺度を読みとる補助とした小型照明装置付き捲き尺。
【請求項１２】請求項１の小型照明装置をキ−ケ−ス又は小銭入れ等の小型収納具の一部に納め収納品に依って外部又は内部を照明する収納具と組み合わせた小型照明装置。
【発明の詳細な説明】
【０００１】
【発明の属する技術分野】
照明器具に属する。
【０００２】
【従来の技術】
小型発光体を用いた照明器具は存在したが照明器具が独立した存在として操作及び保持を必要とする形態で照明器具を保持しながら他の器具を扱う事は片手で出来る状態で無かった。
【０００３】
【発明が解決しようとする課題】
本発明は手暗がりの解消と片手で照明と器具の操作を同時に行える事を目的として居る、夜更けの帰宅に於ける解錠に於ける鍵孔探しの苛立ち、深い孔の底のネジ孔が見え無い等、もどかしさが身近に在り乍らも放置されてる課題は多く見受けられる。
【０００４】
【課題を解決するための手段】
鍵孔探しは従来の照明でも可能であるが、片手では両者を同時に操作出来ず両手を要する事が問題となる。鍵孔位置を確認してから鍵を持ち直して挿入すると言う二重の手間が掛かり陽気の良い時は我慢できるが雨と寒さが重なる場合は最悪で傘を持ち乍らの照明には無理が在り、更に荷物を置く事も出来ない事態も考える。鍵の握り部に発光体が有りしかも光線が鍵本体に沿って照射されれば確認して挿入する事が一瞬にして完了する。
【０００５】
小型で在る利点を生かし器具と組み合わせ、発光体からの光束を器具等が照明を必要とする部分に固定する事で器具の向かう方向が照明され器具の保持が同時に照明装置の保持と成る形式とした。
【０００６】
【発明の実施の形態】
図１は本発明を鍵に適用した例を示す。電源１−３及び発光体１−２と鍵１−１の握り部を同時に収容出来る匡体１−４に鍵の方向と発光体の光軸を略平行に近く固定する。スイッチは匡体を握る事で投入される様にセットする事は可能で在り、解錠・施錠に鍵孔を照明し乍らの片手操作が可能と成った。
【０００７】
図２は電源とスイッチを納めた匡体２−３から発光体２−２を分離し固定用品のクリップと組み合わせ眼鏡の蔓２−１に取り付けた例を示す。黄昏時の僅かな補助光が欲しい時に眼鏡の脇から視界を照明する事で認識できる明るさを与え発光体迄の導線は眼鏡の落下防止紐と兼ねる事で抵抗意識無く使用出来る。
【０００８】
図３はドライバ−の握り部に被せる補助握りとした例を示し常にドライバ−の先端を照明出来、対象ネジ孔が深い孔の底でも視認が容易と成る。ドライバ−の種類に依っては握りと先端の距離が大成る種類が有って握り部で発光しても対象物に対しての照明が不足と成る事も考えられ、発光体からの光束をライトガイドを用いて対象物近くで光束を放射する事で目的は達せられる。
【０００９】
図４は口紅キャップに小型照明装置と鏡を組み込んだ例を示す。鏡と共に組み込む事で十分な効果を持った。
【００１０】
図５は歩行を補助する杖に組み込んだ例を示す。一部を透明として此処に発光体を置き足元を照射する。同様にスリッパ、爪カバ−等に組込んで足元を照射し歩行を助ける。
【００１１】
図６は鏡付きコンパクトに小型照明装置を組み付けた例を示す。装置はコンパクトの外周を基準として取付け鏡上部に装置一式を収納する部分を持たせ取付対象は随意に変えられる方式とした。
【００１２】
図７はバッジタイプの偏平な匡体に装置を組み込んだ例でピンバッジ式止めでも片面に衣類用両面テ−プを用いても良い。衣服の任意な箇所に随時取付が可能で在り夜間の自転車走行等では側面からも容易に視認でき事故防止の一助と成る。
【００１３】
図８はスリッパ−に組み付けた例を示す。穿く事に依る圧力を使い電流回路を接続し点灯する接断器を用いればスイッチ操作に身を屈める必要も無く足元の障害物も明きらかと成る。
【００１４】
図９は傘の握り部に組み込んだ例を示す、図９−２は交換できる握りの内部に小型照明装置を収納し、図９−１は握り部と一体化する匡体として組み付け、足元若しくは歩行する先を照らし、或いは車等の注意を喚起して事故を防ぐ事が出来る。
【００１５】
図１０は自動巻込み式巻尺と小型照明を組み合わせ、巻込みストッパ−とスイッチを兼ねる事で手暗がりでも間違無く寸法の読み取りを可能とする事が出来る。
【００１６】
図１１は個々の鍵と小型照明装置を組み合わせず複数の鍵を収納するキ−ケ−スに小型照明装置を組み込んだ例で有り、一個の小型照明装置で多数の鍵に対応できる省スペ−ス、省エネルギ−方式で在る、同様にして少額の硬貨を収納する硬貨入れ等と組み合わせる事も考えられる。
【００１７】
【実施例】
出来る限り小型にする為、発光体にＬＥＤを用い、電源は釦電池として、通常の自動車のオ−トロックキ−と大差がないライト付きキ−が出来た。スイッチ機能は押す事で電池とＬＥＤの足が接触する方式を取ったが眼鏡式では点灯回路を固定出来るスイッチを要する。
【００１８】
【発明の効果】
片手で照明と解錠の操作が出来る事、常に鍵の先が照明されて挿入から解錠に必要な時間が極めて短く済む事から実用性は十分と判断出来る。眼鏡に取り付けた発光体での効果は短時間の補助照明としては十分な明るさを得た。
【図面の簡単な説明】
【図１】鍵と組み合わせた例を示す。
【図２】眼鏡に取り付けた例を示す。
【図３】小型照明装置と鏡を組み込んだ化粧品容器の例を示す。本例では口紅キャップを挙げる。
【図４】長いドライバ−とライトガイドを用いた例を示す。
【図５】歩行を補助する杖等に組み込んだ例を示す。
【図６】鏡付きコンパクトに小型照明装置を組み付けた例を示す。
【図７】ピンバッジタイプの偏平な匡体に装置を納めた例を示す。
【図８】スリッパ−に組み込んだ例を示す。
【図９】雨傘の握り部に小型照明装置を組み込んだ例を示す。ランプ部を可動として照明方向を変更す可能として在る。
【図１０】巻尺と小型照明装置を組み合わせた例を示す。自動捲き式ではストッパ−とスイッチを兼ねる。
【図１１】キ−ケ−スと小型照明装置を組み合わせた例を示す。


【手続補正２】
【補正対象書類名】図面
【補正対象項目名】図３
【補正方法】変更
【補正の内容】
【図３】
2004186058.tif 000013
【手続補正３】
【補正対象書類名】図面
【補正対象項目名】図５
【補正方法】変更
【補正の内容】
【図５】
2004186058.tif 000014
【手続補正４】
【補正対象書類名】図面
【補正対象項目名】図６
【補正方法】追加
【補正の内容】
【図６】
2004186058.tif 000015
【手続補正５】
【補正対象書類名】図面
【補正対象項目名】図７
【補正方法】追加
【補正の内容】
【図７】
2004186058.tif 000016
【手続補正６】
【補正対象書類名】図面
【補正対象項目名】図８
【補正方法】追加
【補正の内容】
【図８】
2004186058.tif 000017
【手続補正７】
【補正対象書類名】図面
【補正対象項目名】図９
【補正方法】追加
【補正の内容】
【図９】
2004186058.tif 000018
【手続補正８】
【補正対象書類名】図面
【補正対象項目名】図１０
【補正方法】追加
【補正の内容】
【図１０】
2004186058.tif 000019
【手続補正９】
【補正対象書類名】図面
【補正対象項目名】図１１
【補正方法】追加
【補正の内容】
【図１１】
2004186058.tif 000020